(57)【要約】      （修正有）【課題】薬剤の供給が圧力感知動作に影響を与えず、チャンネルにおける圧力差が効果的に改善されるガイドチューブ装置及び薬剤供給装置を提供する。【解決手段】薬剤供給装置は、薬剤吸入器と、ガイドチューブ装置１０と、圧力センサ７と、を備える。薬剤吸入器は、薬剤を収容する。ガイドチューブ装置１０は、中空本体１１と、ガイド部材１３と、を備える。中空本体１１は、薬剤吸入器の吸口と係合するように分離可能である。ガイド部材１３は、中空本体の内壁１１５に配置され、内壁１１５と共に、感知チャンネルＳＣ及び薬剤チャンネルＭＣを画定する。感知チャンネルＳＣ及び薬剤チャンネルＭＣは、中空本体１１の２つの開口と連通する。圧力センサ７は、中空本体１１の表面、又は感知チャンネルＳＣを形成するガイド部材１３に配置される。従って、感知チャンネルＳＣ内の圧力差は向上し、薬剤使用行動の評価の正確性が改善される。【選択図】図３
2020069390.tif 000002
【特許請求の範囲】
【請求項１】
給気口と、排気口と、を備える中空本体であって、前記給気口を形成する前記中空本体の端は、薬剤吸入器の吸口との係合のために使用される中空本体と、
前記中空本体の内壁に配置され、前記中空本体の前記内壁と共に、感知チャンネル及び薬剤チャンネルを画定するガイド部材と、
を備え、
前記感知チャンネル及び前記薬剤チャンネルは、両方とも、前記中空本体の前記給気口及び前記排気口と連通しており、前記中空本体の表面、又は前記感知チャンネルを形成する前記ガイド部材は、圧力センサと共に配置されるように使用される、
ガイドチューブ装置。
【請求項２】
前記ガイド部材は、前記中空本体の前記内壁から上方に延伸する２つの横パネルと、前記２つの横パネルの２つの上辺に接続される上パネルと、を備える、
請求項１のガイドチューブ装置。
【請求項３】
前記ガイド部材は、さらに、前記中空本体の前記内壁から上方に延伸し、前記上パネルの前記給気口に近い端と接続する分割部分を備え、
前記分割部分は、前記給気口と接続された前記感知チャンネルの端に２つの吸気口を形成する、
請求項１又は２のガイドチューブ装置。
【請求項４】
前記上パネルは、Ｙ形パネルである、請求項３のガイドチューブ装置。
【請求項５】
前記分割部分は、前記中空本体の前記内壁から上方に延伸する２つの分割パネルを備え、
前記２つの分割パネルの前記給気口から遠い２つの端は、互いに接続され、前記２つの分割パネルの前記給気口に近い他の端は、互いに離れている、
請求項３のガイドチューブ装置。
【請求項６】
前記２つの分割パネルの結合部から前記給気口への距離は、前記排気口から前記給気口への距離のほぼ０．２４〜０．４５倍である、
請求項５のガイドチューブ装置。
【請求項７】
前記排気口に接続される前記感知チャンネルの端は、通気口を形成し、
前記感知チャンネルの前記２つの吸気口の断面積は、前記通気口の大面積とほぼ同じ又はやや大きい、
請求項３のガイドチューブ装置。
【請求項８】
薬剤を収容し、薬剤を排出するための吸口を有する薬剤吸入器と、
ガイドチューブ装置であって、
給気口と、排気口と、を備える中空本体であって、前記給気口を形成する前記中空本体の端は、前記薬剤吸入器の前記吸口に着脱可能に係合され、それにより、前記薬剤吸入器の排口は、前記給気口と接続される中空本体と、
前記中空本体の内壁に配置され、前記中空本体の前記内壁と共に、感知チャンネル及び薬剤チャンネルを画定するガイド部材であって、前記感知チャンネル及び前記薬剤チャンネルは、両方とも、前記中空本体の前記給気口及び前記排気口と連通しているガイド部材と、を備えるガイドチューブ装置と、
前記中空本体の表面、又は前記感知チャンネルを形成する前記ガイド部材に配置され、前記感知チャンネルの圧力を検知する圧力センサと、
を備える薬剤供給装置。
【請求項９】
前記ガイド部材は、前記中空本体の前記内壁から上方に延伸する２つの横パネルと、前記２つの横パネルの２つの上辺に接続される上パネルと、を備える、
請求項８の薬剤供給装置。
【請求項１０】
前記ガイド部材は、さらに、前記中空本体の前記内壁から上方に延伸し、前記上パネルの前記給気口に近い端と接続する分割部分を備え、
前記分割部分は、前記給気口と接続された前記感知チャンネルの端に２つの吸気口を形成する、
請求項８又は９の薬剤供給装置。
【請求項１１】
前記上パネルは、Ｙ形パネルである、請求項１０の薬剤供給装置。
【請求項１２】
前記分割部分は、前記中空本体の前記内壁から上方に延伸する２つの分割パネルを備え、
前記２つの分割パネルの前記給気口から遠い２つの端は、互いに接続され、前記２つの分割パネルの前記給気口に近い他の端は、互いに離れている、
請求項１０の薬剤供給装置。
【請求項１３】
前記２つの分割パネルの結合部から前記給気口への距離は、前記排気口から前記給気口への距離のほぼ０．２４〜０．４５倍である、
請求項１２の薬剤供給装置。
【請求項１４】
前記排気口に接続される前記感知チャンネルの端は、通気口を形成し、
前記感知チャンネルの前記２つの吸気口の断面積は、前記通気口の大面積とほぼ同じ又はやや大きい、
請求項１０の薬剤供給装置。
【発明の詳細な説明】
【技術分野】
【０００１】
本開示は、薬剤吸入器に関し、より具体的には、ガイドチューブ装置及び薬剤供給装置に関する。
【背景技術】
【０００２】
喘息又は慢性閉塞性肺疾患（ＣＯＰＤ）の治療は、主に、定量吸入器（ＭＤＩ）によって吸入することで投与され、これにより、容易にアクセスできない呼吸器（気管、気管支、肺等）に薬剤を直接届けることができる。
【０００３】
市場でよく見るＭＤＩは、主に、加圧された金属製の薬剤キャニスタ及び薬剤キャニスタを収容する本体を含む。薬剤キャニスタは、薬剤を収容するために使用され、ＭＤＩ本体の吸口は、ユーザが薬剤キャニスタを押すと、薬剤噴霧を放出する。患者が医師に示された時間及び量で薬剤を吸入すれば、病状が抑制される又は改善する可能性がある。しかしながら、人それぞれの吸気力又は吸気時間は異なるため、患者の使用法によっては、医師により示された投与量を下回ることがあり、病状に悪影響を及ぼす。ＭＤＩの使用法は、病状の改善についてとても重要な部分であることが分かる。
【０００４】
過去には、従来のＭＤＩ薬物治療を用いる患者の行動の特徴を得るために、医療従事者は、患者の摂取量を評価するセンサを使用する。例えば、患者が薬剤を吸入する場合、吸入される気体は、ＭＤＩ内部の通路に流れを発生させ、気体がセンサを通るようにする。センサは、患者の薬剤を吸入する動作に応じて、気体の流量圧力を感知し、薬剤使用の行動が薬剤設計によって推奨される効果的な方法の範囲にあるかを評価する。
【０００５】
一般的な臨床では、一分当たり３０〜４０リットル（Ｌ／ｍｉｎ）の薬剤流量でＭＤＩを使用することが推奨されている。しかしながら、現行のＭＤＩの構造では、ユーザの吸入動作による流量圧力は、一般的に市販の圧力センサの感度よりも低く、雑音障害の影響を強く受け、データの収集を非効率的にする。高感度の圧力センサであっても、会社はどのように雑音、体積の制約、及びコストを取り除くかを考えねばならない。さらに、市場には薬剤摂取量を改善するためにＭＤＩを使用する多数の吸入補助が存在しているが、薬剤の送達通路は圧力センサを通過せざるを得ず、薬剤供給だけではなく、データ検知に対しても悪影響を与える可能性がある。
【発明の概要】
【発明が解決しようとする課題】
【０００６】
これを鑑みて、本開示は、感知チャンネル及び薬剤チャンネルを備える、ガイドチューブ装置及び薬剤供給装置を提供し、それにより、薬剤の供給は感知動作に影響を与えず、チャンネルにおける圧力差は効果的に改善されうる。
【課題を解決するための手段】
【０００７】
本開示のガイドチューブ装置は、中空本体と、ガイド部材と、を備える。中空本体は、給気口と、排気口と、を備え、給気口を形成する中空本体の端は、薬剤吸入器の吸口との係合のために使用される。ガイド部材は、中空本体の内壁に配置され、中空本体の内壁と共に感知チャンネル及び薬剤チャンネルを画定する。感知チャンネル及び薬剤チャンネルは、両方とも、中空本体の給気口及び排気口と連通しており、中空本体の表面、又は感知チャンネルを形成するガイド部材は、圧力センサと共に配置されるように使用される。
【０００８】
本開示の薬剤供給装置は、薬剤吸入器と、ガイドチューブ装置と、圧力センサと、を備える。薬剤吸入器は、薬剤を収容し、薬剤を排出するための吸口を有する。ガイドチューブ装置は、中空本体と、ガイド部材と、を備える。中空本体は、給気口と、排気口と、を備え、給気口を形成する中空本体の端は、薬剤吸入器の吸口との係合のために使用される。ガイド部材は、中空本体の内壁に配置され、中空本体の内壁と共に感知チャンネル及び薬剤チャンネルを画定する。感知チャンネル及び薬剤チャンネルは、両方とも、中空本体の給気口及び排気口と連通している。圧力センサは、中空本体の表面、又は感知チャンネルを形成するガイド部材に配置される。
【０００９】
本開示の実施の形態において、ガイド部材は、中空本体の内壁から上方に延伸する２つの横パネルと、２つの横パネルの２つの上辺に接続される上パネルと、を備える。
【００１０】
本開示の実施の形態において、ガイド部材は、さらに、中空本体の内壁から上方に延伸し、上パネルの給気口に近い端と接続する分割部分を備え、分割部分は、給気口と接続された感知チャンネルの端に２つの吸気口を形成してよい。
【００１１】
本開示の実施の形態において、上パネルは、Ｙ形パネルである。
【００１２】
本開示の実施の形態において、分割部分は、中空本体の内壁から上方に延伸する２つの分割パネルを備え、２つの分割パネルの給気口から遠い２つの端は、互いに接続され、２つの分割パネルの給気口に近い他の端は、互いに離れている。
【００１３】
本開示の実施の形態において、２つの分割パネルの結合部から給気口への距離は、排気口から給気口への距離のほぼ０．２４〜０．４５倍である。
【００１４】
本開示の実施の形態において、排気口に接続される感知チャンネルの端は、通気口を形成し、感知チャンネルの２つの吸気口の断面積は、通気口の大面積とほぼ同じ又はやや大きい。
【発明の効果】
【００１５】
上述に基づくと、本開示の実施の形態のガイドチューブ装置及び薬剤供給装置は、ガイドチューブ装置の内部空間を、ガイド部材を介して、感知チャンネルと薬剤チャンネルとに分割する。薬剤チャンネルは、薬剤供給通路と関連し、感知チャンネルに配置された圧力センサに影響を与えずに、薬剤チャンネルを介して、薬剤保存タンクから排出された薬剤のほとんどが供給されることを可能とする。また、分割部分の配置は、薬剤排出通路を回避してよく、それにより、薬剤は付くことによる電子部品へのダメージを防止し、吸気口の設計が流量要求を満たすことを可能とする。
【００１６】
本開示の上述及び他の特徴についての理解をより容易にするために、実施の形態が、添付の図面と共に、下に詳細に説明される。
【００１７】
付された図面は、本開示へのさらなる理解を提供するために含まれ、本明細書に組み込まれ、その一部を構成する。本開示の実施の形態に描かれた図面は、説明と共に、本開示の原理を説明するために供される。
【図面の簡単な説明】
【００１８】
【図１】図１は、本開示の第１の実施の形態に係る薬剤供給装置の斜視図である。
【００１９】
【図２】図２は、本開示の第１の実施の形態に係る薬剤供給装置の正面図である。
【００２０】
【図３】図３は、本開示の第１の実施の形態に係るガイドチューブ装置の斜視図である。
【００２１】
【図４】図４は、本開示の第１の実施の形態に係るガイドチューブ装置の別の角度からの斜視図である。
【００２２】
【図５】図５は、本開示の第１の実施の形態に係るガイドチューブ装置の断面図である。
【００２３】
【図６】図６は、本開示の第１の実施の形態に係るガイドチューブ装置の別の角度からの断面図である。
【００２４】
【図７】図７は、本開示の第２の実施の形態に係る薬剤供給装置の斜視図である。
【００２５】
【図８】図８は、本開示の第２の実施の形態に係る薬剤供給装置の断面図である。
【００２６】
【図９】図９は、本開示の第３の実施の形態に係る薬剤供給装置の斜視図である。
【００２７】
【図１０】図１０は、本開示の第４の実施の形態に係る薬剤供給装置の斜視図である。
【００２８】
【図１１】図１１は、本開示の第５の実施の形態に係る薬剤供給装置の正面図である。
【００２９】
【図１２】図１２は、本開示の第５の実施の形態に係る薬剤供給装置の断面図である。
【発明を実施するための形態】
【００３０】
図１及び２は、本開示の第１の実施の形態に係る薬剤供給装置１の斜視図及び正面図である。図１及び２を参照すると、薬剤供給装置１は、少なくとも、薬剤吸入器５と、ガイドチューブ装置１０と、圧力センサ７と、を含むが、これに限定されない。
【００３１】
薬剤吸入器５は、様々な種類のＭＤＩであってよい。薬剤吸入器５は、本体５１と、本体５１の端に設けられる吸口５３と、本体５１内に収容される薬剤保存タンク５５と、を備える。薬剤保存タンク５５は、薬剤（例えば、抗炎症薬、器官拡張薬等）を収容し、薬剤は、吸口５３の排気口から排出される。
【００３２】
図３及び４は、本開示の第１の実施の形態に係るガイドチューブ装置１０の斜視図及び正面図である。図１乃至４を参照すると、ガイドチューブ装置１０は、中空本体１１と、中空本体１１の内壁１１５に配置されたガイド部材１３と、を備える。
【００３３】
中空本体１１は、排気口１１１と、給気口１１３と、を備え、給気口１１３を形成する中空本体の１１の端は、薬剤吸入器５の吸口５３と係合しており、それにより、排気口１１１及び給気口１１３は、吸口５３の排口と接続され、薬剤は、吸口５３、給気口１１３、排気口１１１を介して、連続的に排出される。本実施の形態では、ガイドチューブ装置１０は、吸口５３に対して着脱可能にスリーブ化されているが、別の実施の形態では、ガイドチューブ装置１０及び吸口５３は、別の結合手法（例えば、スナップ式又はねじ止め等）を用いてよく、本開示はこれらに限定されない。さらに、中空本体１１の外観は、吸口５３の異なる種類又はブランドによって違っていてよく、図面は説明の目的のみのために示される。
【００３４】
ガイド部材１３は、中空本体１１の内壁１１５から上方に延伸する２つの横パネル１３１と、２つの横パネルの２つの上辺に接続される上パネル１３３と、中空本体１１の内壁１１５から上方に延伸し、上パネル１３３の給気口１１３に近い端と接続する分割部分１３５と、を備える。
【００３５】
図４を参照すると、図の上が前、の下が後ろとなっており、横パネル１３１は、排気口１１１から給気口１１３へと後方に延伸し、横パネル１３１から給気口１１３への２つの仮想延伸線は、１３度の角度を実質的に形成する（異なる薬剤吸入器５によって変更できる）。横パネル１３１の高さは、給気口１１３の直径の１／８から１／３である。実施の形態において、横パネル１３１の高さは、開口の種類から見た時、給気口１１３の開口の１／６から１／３．５であってよい。上部と下部が狭まる開口（楕円）の場合、横パネル１３１は、薬剤の通路を塞がないように下げられる。いかなる場合でも、薬剤が通るのに十分な断面を作り出す設計である必要がある。
【００３６】
上パネル１３３は、Ｙ形パネルであり、排気口１１１から給気口１１３へと後方に延伸する。
【００３７】
分割部分１３５は、中空本体１１の内壁１１５から上方に延伸して上パネル１３３に接続される２つの分割パネル１３５１を備え、内壁１１５の中心に実質的に配置される。２つの分割パネル１３５１の給気口１１３から遠い２つの端は、互いに接続され、２つの分割パネル１３５１の給気口１１３に近い他の端は、互いに離れている。図４を参照すると、２つの分割パネル１３５１の結合部から給気口１１３への距離Ｄ１は、排気口１１１から給気口１１３への距離Ｄ２のほぼ０．２４〜０．４５倍であり、上パネル１３３のＹ形上部分（Ｙ形合流構造）を形成して、圧力差を増加させる。
【００３８】
２つの横パネル１３１、上パネル１３３、及び中空本体１１の内壁１１５は、共に、感知チャンネルＳＣ（下向きの囲い）及び薬剤チャンネルＭＣ（上向きの囲い）を画定する。感知チャンネルＳＣ及び薬剤チャンネルＭＣの両方は、中空本体１１の給気口１１３及び排気口１１１と接続される。分割部分１３５は、給気口１１３と接続される感知チャンネルＳＣの端が、２つの吸気口ＳＣｂを形成することを可能とする（図４に示される）。さらに、排気口１１１と接続される感知チャンネルＳＣの端は、通気口ＳＣａを形成する（図３を参照）。
【００３９】
図５及び６は、本開示の第１の実施の形態に係るガイドチューブ装置の断面図である。図５及び６を参照すると、感知チャンネルＳＣの２つの吸気口ＳＣｂの断面積は、通気口ＳＣａの断面積とほぼ同じであり（すなわち、断面積比は約１：１である及び２３平方ｍｍである、並びに５％〜１５％より若干大きい）、感知チャンネルＳＣにおける流体の速度を加速させ、より高い圧力差を生じさせる。
【００４０】
図１乃至３を参照すると、圧力センサ７は、感知チャンネルＳＣを形成する中空本体１１の内壁１１５の表面に配置される。圧力センサ７は、様々な種類の流体圧力センサであってよく、感知チャンネルＳＣ内の圧力データを検知し、次に圧力差を導き出す。圧力センサ７は、制御回路（図示せず）に接続されてよく、圧力差を取得する（圧力差は、薬剤が排出された時の一点において測定された圧力値から薬剤供給装置１から薬剤が排出された後の同じ点において測定された圧力値を引いた値である）。制御回路が圧力差は所定の圧力差よりも大きいと判定した場合、圧力データ、時間データ、及び／又は頻度データ等の感知データがさらに記録され、警告装置（例えば、ディスプレイ、スピーカー等）を介して警告が行われる。また、これらの感知データは、有線又は無線接続（ＵＳＢ接続、Ｗｉ−Ｗｉ等）を介して、外部装置（コンピュータ、携帯電話、タブレット等）に送信されてよい。圧力センサ７は、異なる設計要求に基づいて、感知チャンネルＳＣを形成するガイド部材１３の表面に配置されてもよいことが理解されるべきである。また、本実施の形態の感知センサ７は、通気口ＳＣａの近い位置に配置され、感知値を増加させるが、別の実施の形態において、感知センサ７は、感知チャンネルＳＣの任意の位置に配置されてよい。
【００４１】
流体力学におけるベルヌーイの定理によれば、動いている流体が低マッハ数で流れると、エネルギー保存の法則に基づいて、管直径及び流体流速の調整は、特定の逆相関の結果をもたらす（乱流及び管形状が考慮される必要がある）。直径が狭められると、チューブ内の流体の速度は加速し、高圧力差を生み出す。理論的には、管直径が小さくなるにつれ、圧力差は高くなるが、実際には、管直径を無限に小さくすることは不可能である。小さすぎる直径は、薬剤供給通路に悪影響をもたらす。薬剤スプレーの供給通路が塞がれると、管内の薬剤粉末の蓄積及びガス効率への悪影響に加えて、患者への薬物の量が減少するかもしれず、患者の病状が効果的に制御できない可能性がある。
【００４２】
図３乃至６を参照すると、感知チャンネルＳＣが薬剤チャンネルＭＣの下に位置し、横パネル１３１の高さが中空本体１１の開口の１／８〜１／３であるため、ガイド部材１３の上パネル１３３は、中空本体１１の下の内壁１１５に近く、これにより、薬剤通路範囲ＭＰ（図５及び６に示されるように、薬剤吸入器５の一般的な使用の際に薬剤が通るであろう実験的にみなされる範囲）を回避する。薬剤のほとんどは、薬剤チャンネルＭＣを介して排出され、これにより、薬剤が圧力センサ７に悪影響を与える可能性を低減し、従って、感知の正確性を向上させる。また、感知チャンネルＳＣの断面積は、中空本体１１の断面積のほぼ１／１０〜１／５であり、チャンネル直径を小さくして圧力差を増加させる流体力学の原理によれば、感知チャンネルＳＣは、薬剤チャンネルＭＣと比べて、高い圧力差を形成し得る。ガイドチューブ装置１０がない従来の薬剤吸入器と比較すると、ガイドチューブ装置１０の構造の追加は、圧力差を２５〜３０パーセント増加させることができる。
【００４３】
本開示において、感知チャンネルＳＣは、ガイド部材１３を介して作られ、流速を向上させ、薬剤干渉を回避し、そして、本開示の範囲に基づいて、第１の実施の形態のガイド部材１３は、さらに変更されてもよい。
【００４４】
図７及び８は、本開示の第２の実施の形態に係る薬剤供給装置１ａの概略図である。図７及び８を参照すると、第１の実施の形態と同じ部材や要素は、第１の実施の形態の説明と同様であり、ここでは繰り返されない。第２の実施の形態は、薬剤供給装置１ａのガイドチューブ装置１０ａのガイド部材１３ａは、さらに、感知チャンネルＳＣの中央に配置され、内壁１１５から上方に延伸する支持部分１３２ａを備え、分割部分１３５ａは、さらに、２つの分割パネル１３５１ａの底に接続される底パネル１３５３ａを備える点で第１の実施の形態と異なる。ガイドチューブ装置１０ａの感知チャンネルＳＣは、また、Ｙ形合流構造を形成する。チャンネル直径を小さくして圧力差を増加させる流体力学の原理によれば、感知チャンネルＳＣは、出口において、より高い圧力差を形成し得る。
【００４５】
図９は、本開示の第３の実施の形態に係る薬剤供給装置１ｂの斜視図である。図９を参照すると、第１の実施の形態と同じ部材や要素は、第１の実施の形態の説明と同様であり、ここでは繰り返されない。第３の実施の形態は、薬剤供給装置１ｂのガイドチューブ装置１０ｂのガイド部材１３ｂは、分割部分１３５を備えず（すなわち吸気口ＳＣｂは１つのみ）、ガイド部材１３ｂの長さは中空本体１１のほぼ半分である。ガイド部材１３ｂの上辺は、翼のような外形を有し、流体が翼を上下するように通って速度差を生み出すことを可能とする。ガイド部材１３ｂは、依然として中空本体１１の内部空間を感知チャンネルＳＣと薬剤チャンネルＭＣとに分割し、ガイドチューブ装置１０ｂがない従来の薬剤吸入器と比較すると、ガイドチューブ装置１０ｂの構造の追加は、圧力差を約１０％増加させ得ることが理解される。ガイド部材１３ｂの長さ、厚さ、その他等の外観は、実際の要求に合わせて調整されてよいことが理解される。
【００４６】
薬剤供給装置１ｂを使用するユーザによって生み出される気流のほとんどが、主にガイドチューブ装置１０ｂの上部の吸口５３の端に近い２つの横部分から入るため（全気流の７０％）、吸気口ＳＣｂが中空本体１１の内壁１１５の２つの横部分に沿って延伸する場合、気流は、円滑に感知チャンネルＳＣへと導入され、圧力差を増加させる。
【００４７】
図１０は、本開示の第４の実施の形態に係る薬剤供給装置１ｃの斜視図である。図１０を参照すると、第１の実施の形態と同じ部材や要素は、第１の実施の形態の説明と同様であり、ここでは繰り返されない。第４の実施の形態は、薬剤供給装置１ｃのガイドチューブ装置１０ｃのガイド部材１３ｃは、分割部分１３５を備えない（すなわち吸気口ＳＣｂは１つのみ）点で第１の実施の形態と異なる。ガイド部材１３ｃの給気口１１３に近い端は、２つの横部分に向かって延伸し、第２の実施の形態のガイド部材１３ｃの吸口ＳＣｂと比較して、第３の実施の形態の吸口ＳＣｂは大きい、すなわち、通路の形は流体速度を増加させるために変更される。ガイド部材１３は、また、中空本体１１の内部空間を感知チャンネルＳＣと薬剤チャンネルＭＣとに分割し、ガイドチューブ装置１０ｃがない従来の薬剤吸入器と比較すると、ガイドチューブ装置１０ｃの構造の追加は、圧力差を約１３％増加させ得る。ガイド部材１３ｃの長さ、厚さ、延伸の程度、その他等の外観は、実際の要求に合わせて調整されてよいことが理解される。
【００４８】
図１１及び１２は、本開示の第５の実施の形態に係る薬剤供給装置１ｄの正面図及び斜視図である。図１１及び１２を参照すると、第１の実施の形態と同じ部材や要素は、第１の実施の形態の説明と同様であり、ここでは繰り返されない。第５の実施の形態は、薬剤供給装置１ｄのガイドチューブ装置１０ｄのガイド部材１３ｄは、分割部分１３５を備えない（すなわち吸気口ＳＣｂは１つのみ）点で第１の実施の形態と異なる。第３の実施の形態と比較すると、ガイド部材１３ｄの給気口１１３に近い端は、２つの横部分の上部に向かって延伸し、中空本体１１の中央に向かってさらに延伸する。第４の実施の形態の吸気口ＳＣｂは、第３の実施の形態のガイド部材１３ｄの吸気口ＳＣｂより大きく、それにより、吸入効率を向上させる。ガイド部材１３ｄは、依然として、中空本体１１の内部空間を感知チャンネルＳＣと薬剤チャンネルとに分割し、ガイドチューブ装置１０ｄがない従来の薬剤吸入器と比較すると、ガイドチューブ装置１０ｄの構造の追加は、圧力差を約２０％増加させ得る。ガイド部材１３ｄの長さ、厚さ、延伸の程度、その他等の外観は、実際の要求に合わせて調整されてよいことが理解される。
【００４９】
上記の実施の形態のガイドチューブ装置１０〜１０ｄは、薬剤吸入器５を分離させ、独立した装置となってもよい。外観の調整又は方法を組み合わせた後、独立した装置は、市場の薬剤吸入器５のほとんどに適用されてよい。
【００５０】
上記に基づくと、本開示の実施の形態のガイドチューブ装置及び薬剤供給装置において、そのガイド部材は、ガイドチューブ装置の内部空間を感知チャンネルと薬剤チャンネルとに分割する。薬剤保存タンクから排出された薬剤のほとんどは、薬剤チャンネルを介して、感知チャンネルの配置される圧力センサに悪影響を及ぼさずに、供給され、感知チャンネルの流速は、また、増加し、それにより、より高い圧力差が生じる。次に、患者の薬剤使用行動の検知が促進される。また、分割部分の配置は、薬剤排出通路を回避し、吸気口の設計が流速要求に合うことを可能にする。
【００５１】
本開示を上記の実施の形態を参照して説明したが、説明した実施の形態に対する変更は、発明の精神から逸脱せずに行うことができる点、当業者にとって明らかである。従って、発明の範囲は、上記の具体的な説明ではなく、添付される特許請求の範囲によって画定される。
【産業上の利用可能性】
【００５２】
本開示のガイドチューブ装置及び薬剤供給装置は、吸入治療のための装置に適用されてよい。
【符号の説明】
【００５３】
１、１ａ、１ｂ、１ｃ、１ｄ  薬剤供給装置
５      薬剤吸入器
５１    本体
５３    吸口
５５    薬剤保存タンク
１０、１０ａ、１０ｂ、１０ｃ、１０ｄ  ガイドチューブ装置
１１    中空本体
１１１  排気口
１１３  給気口
１１５  内壁
１３、１３ａ、１３ｂ、１３ｃ、１３ｄ  ガイド部材
１３１  横パネル
１３２ａ  支持部分
１３３  上パネル
１３５、１３５ａ  分割部分
１３５１、１３５１ａ  分割パネル
１３５３ａ  底パネル
７      圧力センサ
Ｄ１、Ｄ２  距離
ＳＣ  感知チャンネル
ＳＣａ  通気口
ＳＣｂ  吸気口
ＭＣ  薬剤チャンネル
ＭＰ  薬剤通路範囲
【図１】
2020069390.tif 000003
【図２】
2020069390.tif 000004
【図３】
2020069390.tif 000005
【図４】
2020069390.tif 000006
【図５】
2020069390.tif 000007
【図６】
2020069390.tif 000008
【図７】
2020069390.tif 000009
【図８】
2020069390.tif 000010
【図９】
2020069390.tif 000011
【図１０】
2020069390.tif 000012
【図１１】
2020069390.tif 000013
【図１２】
2020069390.tif 000014
【外国語明細書】
2020069390000001.pdf